(57)【要約】  エレベーターのリニューアル方法は、一連の分割施工ステップのうちの１つであるかご機器コントローラリニューアルステップは、旧かご機器コントローラを新かご機器コントローラにリニューアルする工程と、新かご機器コントローラと旧制御盤との間を接続する工程と、新かご機器コントローラと旧かご機器との間を接続する工程と、を含み、かご機器コントローラリニューアルステップの終了後には、旧制御盤がエレベーターを制御可能な状態になっている。
2020230263.tif 000002
【特許請求の範囲】
【請求項１】
エレベーターの少なくとも一部の機器のリニューアルをする際に、前記リニューアルの内容を、それぞれの分割施工ステップの終了後には前記エレベーターが通常運転可能な状態となる単位で、一連の分割施工ステップとして分割し、前記一連の分割施工ステップに従って前記リニューアルを実施する、エレベーターのリニューアル方法であって、
前記一連の分割施工ステップのうちの１つであるかご機器コントローラリニューアルステップは、
旧制御盤および旧かご機器のそれぞれと接続されている旧かご機器コントローラを、前記旧制御盤、前記旧かご機器、新制御盤および新かご機器のそれぞれと接続可能に構成されている新かご機器コントローラにリニューアルする工程と、
前記新かご機器コントローラと前記旧制御盤との間を接続する工程と、
前記新かご機器コントローラと前記旧かご機器との間を接続する工程と、
を含み、
前記かご機器コントローラリニューアルステップの終了後には、前記旧制御盤が前記エレベーターを制御可能な状態になっている
エレベーターのリニューアル方法。
【請求項２】
前記一連の分割施工ステップのうちの１つであるかご機器リニューアルステップは、
前記旧かご機器を前記新かご機器にリニューアルする工程と、
前記新かご機器コントローラと前記新かご機器との間を接続する工程と、
を含み、
前記かご機器リニューアルステップは、前記かご機器コントローラリニューアルステップの後に実施され、
前記かご機器リニューアルステップの終了後には、前記旧制御盤が前記エレベーターを制御可能な状態になっている
請求項１に記載のエレベーターのリニューアル方法。
【請求項３】
前記一連の分割施工ステップのうちの１つである乗場機器リニューアルステップは、
旧乗場機器を新乗場機器にリニューアルする工程と、
前記旧制御盤と前記新乗場機器との間を接続する工程と、
を含み、
前記乗場機器リニューアルステップは、前記かご機器コントローラリニューアルステップの後に実施され、
前記乗場機器リニューアルステップの終了後には、前記旧制御盤が前記エレベーターを制御可能な状態になっている
請求項２に記載のエレベーターのリニューアル方法。
【請求項４】
前記一連の分割施工ステップのうちの１つである制御盤リニューアルステップは、
前記旧制御盤を前記新制御盤にリニューアルする工程と、
前記新制御盤と前記新かご機器コントローラとの間を接続し、前記新制御盤と前記新乗場機器との間を接続する工程と、
を含み、
前記制御盤リニューアルステップは、前記かご機器リニューアルステップおよび前記乗場機器リニューアルステップの後に実施され、
前記制御盤リニューアルステップの終了後には、前記新制御盤が前記エレベーターを制御可能な状態になっている
請求項３に記載のエレベーターのリニューアル方法。
【請求項５】
前記一連の分割施工ステップのうちの１つである巻上機リニューアルステップは、
旧巻上機を新巻上機にリニューアルする工程と、
前記新制御盤と前記新巻上機との間を接続する工程と、
を含み、
前記巻上機リニューアルステップは、前記制御盤リニューアルステップの後に実施され、
前記巻上機リニューアルステップの終了後には、前記新制御盤が前記エレベーターを制御可能な状態になっている
請求項４に記載のエレベーターのリニューアル方法。
【請求項６】
前記新かご機器コントローラは、
前記旧制御盤に適用される旧通信方式と、前記新制御盤に適用される新通信方式との間で通信方式を相互に変換する通信変換部と、
接続先が前記旧制御盤である場合には、前記通信変換部を介して前記旧制御盤と通信し、前記接続先が前記新制御盤である場合には、前記新制御盤と直接通信する制御部と、
を備えた請求項１から５のいずれか１項に記載のエレベーターのリニューアル方法。
【請求項７】
エレベーターの旧制御盤に適用される旧通信方式と、前記旧制御盤をリニューアルした後の新制御盤に適用される新通信方式との間で通信方式を相互に変換する通信変換部と、
接続先が前記旧制御盤である場合には、前記通信変換部を介して前記旧制御盤と通信し、前記接続先が前記新制御盤である場合には、前記新制御盤と直接通信する制御部と、
を備えたかご機器コントローラ。
【発明の詳細な説明】
【技術分野】
【０００１】
本発明は、エレベーターのリニューアル方法およびかご機器コントローラに関する。
【背景技術】
【０００２】
既設のエレベーターに対して、機器の経年劣化への対応、あるいは省エネルギ等の性能向上を図るために、エレベーターのリニューアルが行われている。この場合、既設のエレベーターの少なくとも一部の機器をリニューアルするエレベーターのリニューアル工事期間中には、エレベーターの運転を長期間にわたって連続的に休止する必要がある。そのため、エレベーターの長期間休止がリニューアルの大きな障害となる。【０００３】
そこで、エレベーターのリニューアル工事期間中におけるエレベーターの連続休止期間を短縮することを図ったエレベーターのリニューアル方法が提案されている（例えば、特許文献１参照）。
【先行技術文献】
【特許文献】
【０００４】
【特許文献１】国際公開第２０１８／１０９９４６号
【発明の概要】
【発明が解決しようとする課題】
【０００５】
特許文献１に記載のリニューアル方法では、既設のかご機器および乗場機器をリニューアルする前に、既設の制御盤を新しい制御盤に交換するようになっている。なお、かご機器は、かごに関係する機器であり、ドア駆動装置、かご操作盤等である。乗場機器は、乗場に関係する機器であり、乗場操作盤等である。【０００６】
ここで、エレベーターのリニューアルでは、かご内の意匠が刷新されると、エレベーターの利用者がリニューアルの効果を大きく実感する。そのため、リニューアルの効果を利用者が実感しやすいかご機器を先行してリニューアルしたいというニーズが発生する可能性がある。【０００７】
上述の特許文献１に記載のリニューアル方法では、上述のように制御盤を先行してリニューアルするようになっているので、上述のニーズに対応することができない可能性がある。したがって、エレベーターのリニューアル工事期間中におけるエレベーターの連続休止期間を短縮することを図りつつ、上述のニーズに対応することができる新たなリニューアル方法が求められる。【０００８】
本発明は、上記のような課題を解決するためになされたものであり、エレベーターのリニューアル工事期間中におけるエレベーターの連続休止期間を短縮することを図りつつ、かご機器を先行してリニューアルしたいというニーズに対応することができるエレベーターのリニューアル方法およびかご機器コントローラを得ることを目的とする。
【課題を解決するための手段】
【０００９】
本発明におけるエレベーターのリニューアル方法は、エレベーターの少なくとも一部の機器のリニューアルをする際に、リニューアルの内容を、それぞれの分割施工ステップの終了後にはエレベーターが通常運転可能な状態となる単位で、一連の分割施工ステップとして分割し、一連の分割施工ステップに従ってリニューアルを実施する、エレベーターのリニューアル方法であって、一連の分割施工ステップのうちの１つであるかご機器コントローラリニューアルステップは、旧制御盤および旧かご機器のそれぞれと接続されている旧かご機器コントローラを、旧制御盤、旧かご機器、新制御盤および新かご機器のそれぞれと接続可能に構成されている新かご機器コントローラにリニューアルする工程と、新かご機器コントローラと旧制御盤との間を接続する工程と、新かご機器コントローラと旧かご機器との間を接続する工程と、を含み、かご機器コントローラリニューアルステップの終了後には、旧制御盤がエレベーターを制御可能な状態になっているものである。【００１０】
本発明におけるかご機器コントローラは、エレベーターの旧制御盤に適用される旧通信方式と、旧制御盤をリニューアルした後の新制御盤に適用される新通信方式との間で通信方式を相互に変換する通信変換部と、接続先が旧制御盤である場合には、通信変換部を介して旧制御盤と通信し、接続先が新制御盤である場合には、新制御盤と直接通信する制御部と、を備えたものである。
【発明の効果】
【００１１】
本発明によれば、エレベーターのリニューアル工事期間中におけるエレベーターの連続休止期間を短縮することを図りつつ、かご機器を先行してリニューアルしたいというニーズに対応することができるエレベーターのリニューアル方法およびかご機器コントローラを得ることができる。
【図面の簡単な説明】
【００１２】
【図１】本発明の実施の形態１におけるエレベーターのリニューアル方法が適用されるエレベーター装置を示す構成図である。
【図２】本発明の実施の形態１におけるエレベーターのリニューアル方法の一連の分割施工ステップの例を示す表である。
【図３】本発明の実施の形態１におけるエレベーターのリニューアル方法が適用されるエレベーター装置の初期状態を示すブロック図である。
【図４】図３のエレベーター装置の初期状態に対して、かご機器コントローラリニューアルステップを実施した後のエレベーター装置の状態を示すブロック図である。
【図５】図４の新かご機器コントローラの制御部および通信変換部の接続先を示すブロック図である。
【図６】図５の通信変換部の構成を示すブロック図である。
【図７】図４のエレベーター装置の状態に対して、かご機器リニューアルステップを実施している途中のエレベーター装置の状態を示すブロック図である。
【図８】図７の新かご機器コントローラの制御部および通信変換部の接続先を示すブロック図である。
【図９】図４のエレベーター装置の状態に対して、かご機器リニューアルステップを実施した後のエレベーター装置の状態を示すブロック図である。
【図１０】図９の新かご機器コントローラの制御部および通信変換部の接続先を示すブロック図である。
【図１１】図９のエレベーター装置の状態に対して、乗場機器リニューアルステップを実施した後のエレベーター装置の状態を示すブロック図である。
【図１２】図９のエレベーター装置の状態に対して、乗場機器リニューアルステップの別例を実施した後のエレベーター装置の状態を示すブロック図である。
【図１３】図１１のエレベーター装置の状態に対して、制御盤リニューアルステップを実施した後のエレベーター装置の状態を示すブロック図である。
【図１４】図１３のエレベーター装置の状態に対して、巻上機リニューアルステップを実施した後のエレベーター装置の状態を示すブロック図である。
【発明を実施するための形態】
【００１３】
以下、本発明におけるエレベーターのリニューアル方法およびかご機器コントローラの好適な実施の形態につき図面を用いて説明するが、各図において同一、または相当する部分については、同一符号を付して説明する。なお、実施の形態で用いられる「通信」とは、制御信号、電圧信号、電流信号等の各種信号の送受信を含むものである。
【００１４】
実施の形態１．
図１は、本発明の実施の形態１におけるエレベーターのリニューアル方法が適用されるエレベーター装置を示す構成図である。図１に示すように、機械室１には、巻上モータを含む巻上機２と、エレベーターを制御する制御盤３と、調速機４とが設けられている。昇降路５には、かご６と、釣り合いおもり７と、かご６および釣り合いおもり７を連結する主索８と、ガイドレール９と、終点スイッチ１０とが設けられている。
【００１５】
かご６には、ドア駆動装置１１が設けられている。ドア駆動装置１１は、かご６に設けられているかごドアを駆動するドアモータと、ドアモータの回転位置を検出するエンコーダと、かごドアが完全に閉まったことを検出する全閉検出器とを含む。また、かご６内には、かご操作盤１２が設けられている。乗場１３には、乗場操作盤１４が設けられている。ピット１５には、緩衝器１６が設けられている。
【００１６】
ここで、かご６に関係する機器をかご機器という。このようなかご機器の具体例としては、ドア駆動装置１１、かご操作盤１２、かご６が乗場１３に着床したことを検出する着床検出装置（図示せず）、インジケータ（図示せず）等が挙げられる。また、乗場１３に関係する機器を乗場機器という。このような乗場機器の具体例としては、乗場操作盤１４、インジケータ（図示せず）等が挙げられる。さらに、昇降路５に関係する機器を昇降路機器という。このような昇降路機器の具体例としては、終点スイッチ１０、昇降路ケーブル（図示せず）等が挙げられる。
【００１７】
かご機器コントローラ１８は、かご６に設けられており、より具体的には、例えば、かご６の上に設けられている。かご機器コントローラ１８は、移動ケーブル１７によって、制御盤３と接続されている。かご機器コントローラ１８は、ケーブル（図示せず）によって、かご機器と接続されている。かご機器コントローラ１８は、制御盤３から受けた指示に従って、かご機器を制御する。具体的には、かご機器コントローラ１８は、制御盤３から受けた指示に従って、ドア駆動装置１１を制御することによってかごドアを開閉する。また、かご機器コントローラ１８は、かご機器から受けた信号を制御盤３に与える。
【００１８】
次に、エレベーターのリニューアル工事期間中に行う分割施工ステップについて、図２を参照しながら説明する。図２は、本発明の実施の形態１におけるエレベーターのリニューアル方法の一連の分割施工ステップの例を示す表である。
【００１９】
ここで、エレベーターのリニューアル工事期間中におけるエレベーターの連続休止期間を短縮するために、リニューアル工事を複数の分割施工ステップに分割している。各分割施工ステップは、連続で確保できる時間内に終了するようになっており、各分割施工ステップが終了した後、利用者がエレベーターを利用することができるようになっている。すなわち、エレベーターのリニューアル工事期間中におけるエレベーターの連続休止期間を短縮するためには、各分割施工ステップが終了した時点でエレベーターを利用可能とすることが前提となる。例えば、マンションでは、通勤、通学等の利用者が多い朝晩の時間帯に、飲食テナントビルでは、夕方、夜等の営業時間帯にエレベーターを利用可能とする必要がある。
【００２０】
そこで、エレベーターの少なくとも一部の機器のリニューアルをする際に、リニューアルの内容を、それぞれの分割施工ステップの終了後にはエレベーターが通常運転可能な状態となる単位で、一連の分割施工ステップとして分割する。この一連の分割施工ステップに従って、リニューアル工事が実施される。図２に示すように、リニューアル工事内容は、例えばステップＳ１〜ステップＳ５の５つの分割施工ステップに分割される。ただし、エレベーターの仕様によっては、各分割施工ステップを更に分割することが必要になる。
【００２１】
ステップＳ１では、既設のかご機器コントローラをリニューアルする。ステップＳ１でのリニューアル対象となる主な機器は、かご機器コントローラ等である。ステップＳ１の終了後には、エレベーターが通常運転可能な状態となっている。
【００２２】
ステップＳ２では、既設のかご機器をリニューアルする。ステップＳ２は、ステップＳ１の後に実施される。ステップＳ２でのリニューアル対象となる主な機器は、ドア駆動装置、かご操作盤、インジケータ、着床検出装置等である。ステップＳ２の終了後には、エレベーターが通常運転可能な状態となっている。
【００２３】
ステップＳ３では、既設の乗場機器をリニューアルする。ステップＳ３は、ステップＳ２の後に実施される。ステップＳ３でのリニューアル対象となる主な機器は、乗場操作盤、インジケータ等である。ステップＳ３の終了後には、エレベーターが通常運転可能な状態となっている。なお、ステップＳ２とステップＳ３の実施の順番を入れ替えてもよい。
【００２４】
ステップＳ４では、既設の制御盤をリニューアルする。ステップＳ４は、ステップＳ３の後に実施される。ステップＳ４でのリニューアル対象となる主な機器は、制御盤等である。ステップＳ４の終了後には、エレベーターが通常運転可能な状態となっている。
【００２５】
ステップＳ５では、既設の巻上機をリニューアルする。ステップＳ５は、ステップＳ４の後に実施される。ステップＳ５でのリニューアル対象となる主な機器は、巻上機、主索等である。ステップＳ５の終了後には、エレベーターが通常運転可能な状態となっている。
【００２６】
このように、一連の分割施工ステップのうちの１つの分割施工ステップが終了すると、エレベーターが通常運転可能な状態となっている。したがって、１つの分割施工ステップが終了すると、利用者がエレベーターを利用可能な時間帯ができ、エレベーターの連続休止期間を短縮することができる。
【００２７】
（リニューアル方法）
次に、図１および図２とともに、図３〜図１４を参照しながら、実施の形態１におけるエレベーターのリニューアル方法について説明する。図３は、本発明の実施の形態１におけるエレベーターのリニューアル方法が適用されるエレベーター装置の初期状態を示すブロック図である。
【００２８】
図３に示すように、エレベーター装置の初期状態では、リニューアル前の既設の旧かご機器コントローラ１００は、既設の旧制御盤４００および既設の旧かご機器２００のそれぞれと接続されている。
【００２９】
旧かご機器コントローラ１００および旧制御盤４００に適用されている通信方式は、例えば、シリアル通信方式である。以下、旧かご機器コントローラ１００および旧制御盤４００に適用されている通信方式を「旧通信方式」と称す。旧かご機器コントローラ１００は、旧通信方式によって、旧制御盤４００と通信する。
【００３０】
旧かご機器コントローラ１００は、旧通信方式によって、旧かご機器２００と通信する。なお、実施の形態１では、既設の旧ドア駆動装置２０１、既設の旧かご操作盤２０２、および既設の旧着床検出装置２０３の三種類の旧かご機器２００を例に挙げる。
【００３１】
旧制御盤４００は、既設の旧乗場機器３００と接続されている。旧乗場機器３００は、エレベーター装置が設置される建物の各階床に設けられている。旧制御盤４００は、旧通信方式によって、各階床に設けられている旧乗場機器３００と通信する。旧制御盤４００は、既設の旧巻上機５００と接続されている。
【００３２】
（分割施工ステップＳ１：かご機器コントローラリニューアルステップ）
次に、ステップＳ１について、図４を参照しながら説明する。図４は、図３のエレベーター装置の初期状態に対して、かご機器コントローラリニューアルステップを実施した後のエレベーター装置の状態を示すブロック図である。
【００３３】
ステップＳ１では、旧かご機器コントローラ１００を新かご機器コントローラ１００Ａにリニューアルする工程が実施される。この工程では、具体的には、旧かご機器コントローラ１００を、新かご機器コントローラ１００Ａに交換する。新かご機器コントローラ１００Ａは、旧制御盤４００、旧かご機器２００、後述する新制御盤４００Ａおよび後述する新かご機器２００のそれぞれと接続可能に構成されている。なお、新かご機器コントローラ１００Ａの具体的な構成は、後述する。
【００３４】
続いて、新かご機器コントローラ１００Ａと旧制御盤４００との間を接続する工程が実施される。また、新かご機器コントローラ１００Ａと旧かご機器２００との間を接続する工程が実施される。
【００３５】
新かご機器コントローラ１００Ａおよび後述する新制御盤４００Ａに適用されている通信方式は、例えば、ＣＡＮ（Ｃｏｎｔｒｏｌｌｅｒ  Ａｒｅａ  Ｎｅｔｗｏｒｋ）通信方式等のシリアル通信方式である。以下、新かご機器コントローラ１００Ａおよび新制御盤４００Ａに適用されている通信方式を「新通信方式」と称す。新通信方式は、旧通信方式よりも大容量のデータの送受信が可能であるとともに、旧通信方式よりもデータの伝送速度が速い。
【００３６】
次に、新かご機器コントローラ１００Ａの構成について、図５および図６を参照しながら説明する。図５は、図４の新かご機器コントローラ１００Ａの制御部１０１および通信変換部１０２の接続先を示すブロック図である。図６は、図５の通信変換部１０２の構成を示すブロック図である。
【００３７】
図５に示すように、新かご機器コントローラ１００Ａは、制御部１０１と、制御部１０１と旧かご機器２００との間を通信可能に接続するためのインターフェースとして機能する通信変換部１０２とを備える。通信変換部１０２は、旧通信方式と新通信方式との間で通信方式を相互に変換する通信変換機能を有する。制御部１０１は、接続先が旧制御盤４００である場合、通信変換部１０２を介して旧制御盤４００と通信し、接続先が後述する新制御盤４００Ａである場合、新制御盤４００Ａと直接通信する。この通信変換機能によって、新かご機器コントローラ１００Ａの制御部１０１と、旧かご機器２００との間で通信が可能となる。
【００３８】
なお、実施の形態１では、制御部１０１は、通信変換部１０２を介して、旧ドア駆動装置２０１、旧かご操作盤２０２および旧着床検出装置２０３のそれぞれと通信する場合を想定している。この場合、制御部１０１は、通信変換部１０２を介して、旧ドア駆動装置２０１、旧かご操作盤２０２および旧着床検出装置２０３のそれぞれと接続される。具体例として、制御部１０１は、このような通信によって、旧かご操作盤２０２のディスプレイに情報を表示させる表示指令を旧かご操作盤２０２に与える。また、制御部１０１は、このような通信によって、旧かご操作盤２０２の釦、スイッチ等が押されたことを示す動作情報を旧かご操作盤２０２から受ける。
【００３９】
ただし、制御部１０１が旧着床検出装置２０３から受ける信号を、制御部１０１に適した信号に変換する信号変換が必要となる場合がある。この場合、新かご機器コントローラ１００Ａは、このような信号変換を行う機能を備えて構成される。
【００４０】
また、制御部１０１が旧ドア駆動装置２０１から受ける信号を、制御部１０１に適した信号に変換するとともに、制御部１０１が旧ドア駆動装置２０１に与える信号を、旧ドア駆動装置２０１に適した信号に変換する信号変換が必要となる場合がある。この場合、新かご機器コントローラ１００Ａは、このような信号変換を行う機能を備えて構成される。
【００４１】
続いて、通信変換部１０２の通信変換機能を実現する具体的な構成について、図６を参照しながら説明する。図６に示すように、通信変換部１０２は、ＣＰＵ（Ｃｅｎｔｒａｌ  Ｐｒｏｃｅｓｓｉｎｇ  Ｕｎｉｔ）１０３と、ＲＡＭ（Ｒａｎｄｏｍ  Ａｃｃｅｓｓ  Ｍｅｍｏｒｙ）１０４と、変換ハーネス１０５と、変換ハーネス１０６と、変換ハーネス１０７とを備える。
【００４２】
ＣＰＵ１０３は、旧制御盤４００からのデータを、制御部１０１に対応したデータにフォーマット変換し、ＲＡＭ１０４に記憶する。なお、フォーマットとは、ｂｉｔ数等のデータ構造を指している。ＣＰＵ１０３は、制御部１０１からのデータを、旧制御盤４００に対応したデータにフォーマット変換し、ＲＡＭ１０４に記憶する。
【００４３】
ＣＰＵ１０３は、制御部１０１からの求めに応じて、上述のフォーマット変換されたデータをＲＡＭ１０４から取り出して出力する。ＣＰＵ１０３は、旧制御盤４００からの求めに応じて、上述のフォーマット変換されたデータをＲＡＭ１０４から取り出して出力する。これにより、適用されている通信方式が異なっていても、新かご機器コントローラ１００Ａの制御部１０１と、旧制御盤４００とが通信変換部１０２を介して通信することができる。
【００４４】
同様に、ＣＰＵ１０３は、旧かご機器２００からのデータを、制御部１０１に対応したデータにフォーマット変換し、ＲＡＭ１０４に記憶する。ＣＰＵ１０３は、制御部１０１からのデータを、旧かご機器２００に対応したデータにフォーマット変換し、ＲＡＭ１０４に記憶する。
【００４５】
ＣＰＵ１０３は、制御部１０１からの求めに応じて、上述のフォーマット変換されたデータをＲＡＭ１０４から取り出して出力する。ＣＰＵ１０３は、旧かご機器２００からの求めに応じて、上述のフォーマット変換されたデータをＲＡＭ１０４から取り出して出力する。これにより、適用されている通信方式が異なっていても、新かご機器コントローラ１００Ａの制御部１０１と、旧かご機器２００とが通信変換部１０２を介して通信することができる。
【００４６】
このように、新かご機器コントローラ１００Ａは、旧制御盤４００および旧かご機器２００のそれぞれと接続可能に構成されている。したがって、新かご機器コントローラ１００Ａは、旧制御盤４００および旧かご機器２００のそれぞれとの間を接続することによって、旧制御盤４００および旧かご機器２００のそれぞれと通信することができる。
【００４７】
なお、旧通信方式および新通信方式の具体的な通信方式として、以下の例が考えられる。すなわち、第１の例として、旧通信方式および新通信方式がともにシリアル通信方式であることが考えられる。第２の例として、旧通信方式および新通信方式がともにパラレル通信方式であることが考えられる。第３の例として、旧通信方式がシリアル通信方式であり、新通信方式がパラレル通信方式であることが考えられる。第４の例として、旧通信方式がパラレル通信方式であり、新通信方式がシリアル通信方式であることが考えられる。
【００４８】
変換ハーネス１０５、変換ハーネス１０６および変換ハーネス１０７のそれぞれは、ピンアサインの変更、フォトカプラあるいはリレーによる電圧レベルの変換等が可能なように構成されている。
【００４９】
図６に示す通信変換部１０２による信号の変換についてＣＰＵ１０３が必要でない場合、制御部１０１は、変換ハーネス１０５を介して旧かご機器２００と接続される。また、この場合、旧制御盤４００は、変換ハーネス１０６を介して旧かご機器２００と接続される。さらに、この場合、旧制御盤４００は、変換ハーネス１０７を介して制御部１０１と接続される。
【００５０】
このように、一連の分割施工ステップのうちの１つであるかご機器コントローラリニューアルステップは、以下の３つの工程Ａ１〜Ａ３を少なくとも含む。
（工程Ａ１）旧かご機器コントローラ１００を新かご機器コントローラ１００Ａにリニューアルする工程
（工程Ａ２）新かご機器コントローラ１００Ａと旧制御盤４００との間を接続する工程
（工程Ａ３）新かご機器コントローラ１００Ａと旧かご機器２００との間を接続する工程
【００５１】
上述の工程が実施されると、新かご機器コントローラ１００Ａの制御部１０１は、通信変換部１０２を介して、通信方式が異なっている旧制御盤４００と通信することができる。
【００５２】
また、新かご機器コントローラ１００Ａの制御部１０１は、通信変換部１０２を介して、通信方式が異なっている旧かご操作盤２０２と通信することができる。また、制御部１０１は、旧着床検出装置２０３から信号を受けることができる。さらに、制御部１０１は、旧ドア駆動装置２０１に信号を送ったり旧ドア駆動装置２０１から信号を受けたりすることができる。その結果、新かご機器コントローラ１００Ａは、旧かご機器２００を制御することができる。
【００５３】
したがって、かご機器コントローラリニューアルステップの終了後には、旧制御盤４００がエレベーターを制御可能な状態にすることができ、その結果、エレベーターが通常運転可能な状態にすることができる。
【００５４】
（分割施工ステップＳ２：かご機器リニューアルステップ）
次に、ステップＳ２について、図７〜図１０を参照しながら説明する。図７は、図４のエレベーター装置の状態に対して、かご機器リニューアルステップを実施している途中のエレベーター装置の状態を示すブロック図である。図８は、図７の新かご機器コントローラ１００Ａの制御部１０１および通信変換部１０２の接続先を示すブロック図である。
【００５５】
図９は、図４のエレベーター装置の状態に対して、かご機器リニューアルステップを実施した後のエレベーター装置の状態を示すブロック図である。図１０は、図９の新かご機器コントローラ１００Ａの制御部１０１および通信変換部１０２の接続先を示すブロック図である。
【００５６】
なお、実施の形態１では、旧ドア駆動装置２０１をリニューアルした後の新ドア駆動装置２０１Ａ、旧かご操作盤２０２をリニューアルした後の新かご操作盤２０２Ａ、および旧着床検出装置２０３をリニューアルした後の新着床検出装置２０３Ａの三種類の新かご機器２００Ａを例に挙げる。
【００５７】
図７に示すように、旧かご操作盤２０２を新かご操作盤２０２Ａにリニューアルする工程が実施される。この工程では、具体的には、旧かご操作盤２０２を新かご操作盤２０２Ａに交換する。続いて、新かご機器コントローラ１００Ａと新かご操作盤２０２Ａとの間を接続する工程が実施される。
【００５８】
上述の工程が実施されると、図８に示すように、制御部１０１と新かご操作盤２０２Ａとの間は、直接接続される。この場合、制御部１０１は、通信変換部１０２を介さずに新かご操作盤２０２Ａと通信することができる。
【００５９】
図９に示すように、旧ドア駆動装置２０１を新ドア駆動装置２０１Ａにリニューアルする工程が実施される。この工程では、具体的には、旧ドア駆動装置２０１を新ドア駆動装置２０１Ａに交換する。また、旧着床検出装置２０３を新着床検出装置２０３Ａにリニューアルする工程が実施される。この工程では、具体的には、旧着床検出装置２０３を新着床検出装置２０３Ａに交換する。
【００６０】
続いて、新かご機器コントローラ１００Ａと新ドア駆動装置２０１Ａとの間を接続する工程が実施される。また、新かご機器コントローラ１００Ａと新着床検出装置２０３Ａとの間を接続する工程が実施される。
【００６１】
上述の工程が実施されると、図１０に示すように、制御部１０１と、新ドア駆動装置２０１Ａおよび新着床検出装置２０３Ａのそれぞれとの間は、直接接続される。
【００６２】
図７〜図１０から分かるように、ステップＳ２では、旧かご機器２００を種類ごとに独立してリニューアルすることができる。
【００６３】
以上のように、一連の分割施工ステップのうちの１つであるかご機器リニューアルステップは、以下の２つの工程Ｂ１およびＢ２を少なくとも含む。
（工程Ｂ１）旧かご機器２００を新かご機器２００Ａにリニューアルする工程
（工程Ｂ２）新かご機器コントローラ１００Ａと新かご機器２００Ａとの間を接続する工程
【００６４】
上述の工程が実施されると、新かご機器コントローラ１００Ａの制御部１０１は、新かご機器２００Ａと通信することができる。その結果、新かご機器コントローラ１００Ａは、新かご機器２００Ａを制御することができる。
【００６５】
したがって、かご機器リニューアルステップの終了後には、旧制御盤４００がエレベーターを制御可能な状態にすることができ、その結果、エレベーターが通常運転可能な状態にすることができる。
【００６６】
なお、かご機器リニューアルステップを実施している途中に、旧制御盤４００がエレベーターを制御可能な状態にしてもよい。例えば、図７に示すような或る種類の新かご機器２００Ａと他の種類の旧かご機器２００とが混在している状況下で、旧制御盤４００がエレベーターを制御可能な状態にすることが想定される。これにより、かご機器リニューアルステップを実施している途中の段階で、エレベーターが通常運転可能な状態にすることができる。
【００６７】
（分割施工ステップＳ３：乗場機器リニューアルステップ）
次に、ステップＳ３について、図１１を参照しながら説明する。図１１は、図９のエレベーター装置の状態に対して、乗場機器リニューアルステップを実施した後のエレベーター装置の状態を示すブロック図である。
【００６８】
図１１に示すように、旧乗場機器３００を新乗場機器３００Ａにリニューアルする工程が実施される。この工程では、具体的には、旧乗場機器３００を新乗場機器３００Ａに交換する。なお、実施の形態１では、旧制御盤４００は、上述した通信変換部１０２のような機能がなくても、新乗場機器３００Ａと直接接続することができる場合を想定している。
【００６９】
続いて、旧制御盤４００と新乗場機器３００Ａとの間を接続する工程が実施される。図１１から分かるように、ステップＳ３では、旧乗場機器３００を階床ごとに独立してリニューアルすることができる。
【００７０】
このように、一連の分割施工ステップのうちの１つである乗場機器リニューアルステップは、以下の２つの工程Ｃ１およびＣ２を少なくとも含む。
（工程Ｃ１）旧乗場機器３００を新乗場機器３００Ａにリニューアルする工程
（工程Ｃ２）旧制御盤４００と新乗場機器３００Ａとの間を接続する工程
【００７１】
上述の工程が実施されると、旧制御盤４００は、新乗場機器３００Ａと通信することができる。その結果、旧制御盤４００は、新乗場機器３００Ａを制御することができる。
【００７２】
したがって、乗場機器リニューアルステップの終了後には、旧制御盤４００がエレベーターを制御可能な状態にすることができ、その結果、エレベーターが通常運転可能な状態にすることができる。
【００７３】
なお、乗場機器リニューアルステップを実施している途中に、旧制御盤４００がエレベーターを制御可能な状態にしてもよい。例えば、旧乗場機器３００と新乗場機器３００Ａとが混在している状況下で、旧制御盤４００がエレベーターを制御可能な状態にすることが想定される。これにより、乗場機器リニューアルステップを実施している途中の段階で、エレベーターが通常運転可能な状態にすることができる。
【００７４】
次に、旧制御盤４００が新乗場機器３００Ａと直接接続することができない場合に実施されるステップＳ３の別例について、図１２を参照しながら説明する。図１２は、図９のエレベーター装置の状態に対して、乗場機器リニューアルステップの別例を実施した後のエレベーター装置の状態を示すブロック図である。
【００７５】
図１２に示すように、旧乗場機器３００を新乗場機器３００Ａにリニューアルする工程が実施される。続いて、上述した通信変換部１０２と同様の機能、すなわち旧通信方式と新通信方式との間で通信方式を相互に変換する機能を有する通信変換装置４１０を設置する工程が実施される。
【００７６】
続いて、旧制御盤４００と新乗場機器３００Ａとの間を、通信変換装置４１０を介して接続する工程が実施される。この工程が実施されると、旧制御盤４００は、通信変換装置４１０を介して、新乗場機器３００Ａと通信することができる。その結果、旧制御盤４００は、新乗場機器３００Ａを制御することができる。
【００７７】
（分割施工ステップＳ４：制御盤リニューアルステップ）
次に、ステップＳ４について、図１３を参照しながら説明する。図１３は、図１１のエレベーター装置の状態に対して、制御盤リニューアルステップを実施した後のエレベーター装置の状態を示すブロック図である。
【００７８】
図１３に示すように、旧制御盤４００を新制御盤４００Ａにリニューアルする工程が実施される。この工程では、具体的には、旧制御盤４００を新制御盤４００Ａに交換する。続いて、新制御盤４００Ａと新かご機器コントローラ１００Ａとの間を接続する工程が実施される。
【００７９】
続いて、新制御盤４００Ａと新乗場機器３００Ａとの間を接続する工程が実施される。なお、上述したステップＳ４において通信変換装置４１０が設置される工程が実施された場合には、通信変換装置４１０を撤去する工程も実施される。続いて、新制御盤４００Ａと旧巻上機５００との間を接続する工程が実施される。
【００８０】
このように、一連の分割施工ステップのうちの１つである制御盤リニューアルステップは、以下の２つの工程Ｄ１およびＤ２を少なくとも含む。
（工程Ｄ１）旧制御盤４００を新制御盤４００Ａにリニューアルする工程
（工程Ｄ２）新制御盤４００Ａと新かご機器コントローラ１００Ａとの間を接続し、新制御盤４００Ａと新乗場機器３００Ａとの間を接続する工程
【００８１】
上述の工程が実施されると、新制御盤４００Ａは、新かご機器コントローラ１００Ａと通信することができる。その結果、新制御盤４００Ａは、新かご機器コントローラ１００Ａと通信することができる。
【００８２】
また、新制御盤４００Ａは、新乗場機器３００Ａと通信することができる。その結果、新制御盤４００Ａは、新乗場機器３００Ａを制御することができる。さらに、新制御盤４００Ａは、旧巻上機５００を制御することができる。
【００８３】
したがって、制御盤リニューアルステップの終了後には、新制御盤４００Ａがエレベーターを制御可能な状態にすることができ、その結果、エレベーターが通常運転可能な状態にすることができる。
【００８４】
（分割施工ステップＳ５：巻上機リニューアルステップ）
次に、ステップＳ５について、図１４を参照しながら説明する。図１４は、図１３のエレベーター装置の状態に対して、巻上機リニューアルステップを実施した後のエレベーター装置の状態を示すブロック図である。
【００８５】
図１４に示すように、旧巻上機５００を新巻上機５００Ａにリニューアルする工程が実施される。この工程では、具体的には、旧巻上機５００を新巻上機５００Ａに交換する。続いて、新制御盤４００Ａと新巻上機５００Ａとの間を接続する工程が実施される。
【００８６】
このように、一連の分割施工ステップのうちの１つである巻上機リニューアルステップは、以下の２つの工程Ｅ１およびＥ２を少なくとも含む。
（工程Ｅ１）旧巻上機５００を新巻上機５００Ａにリニューアルする工程
（工程Ｅ２）新制御盤４００Ａと新巻上機５００Ａとの間を接続する工程
【００８７】
上述の工程が実施されると、新制御盤４００Ａは、新巻上機５００Ａに信号を送ったり、新巻上機５００Ａから信号を受けたりすることができる。その結果、新制御盤４００Ａは、新巻上機５００Ａを制御することができる。
【００８８】
したがって、巻上機リニューアルステップの終了後には、新制御盤４００Ａがエレベーターを制御可能な状態にすることができ、その結果、エレベーターが通常運転可能な状態にすることができる。
【００８９】
以上のステップＳ１からステップＳ５までの一連の分割施工ステップがすべて完了すれば、エレベーターのリニューアルが完了する。なお、ステップＳ３〜ステップＳ５の全てのステップを実施する必要は必ずしもなく、一部のステップの実施を省略してもよい。
【００９０】
以上、実施の形態１によれば、一連の分割施工ステップのうちの１つであるかご機器コントローラリニューアルステップは、旧かご機器コントローラ１００を新かご機器コントローラ１００Ａにリニューアルする工程と、新かご機器コントローラ１００Ａと旧制御盤４００との間を接続する工程と、新かご機器コントローラ１００Ａと旧かご機器２００との間を接続する工程とを含んで構成されている。
【００９１】
これにより、既設のエレベーターの少なくとも一部の機器をリニューアルするリニューアル工事期間中におけるエレベーターの連続休止期間を短縮することができる。また、かご機器を先行してリニューアルしたいというニーズに対応することができる。
【００９２】
なお、上記の実施の形態では、旧かご機器２００を新かご機器２００Ａにリニューアルする場合と、旧乗場機器３００を新乗場機器３００Ａにリニューアルする場合に本発明を適用する場合を例示したが、これに限定されない。すなわち、昇降路機器などの他の機器をリニューアルする場合にも本発明を適用可能である。
【符号の説明】
【００９３】
１  機械室、２  巻上機、３  制御盤、４  調速機、５  昇降路、６  かご、７  釣り合いおもり、８  主索、９  ガイドレール、１０  終点スイッチ、１１  ドア駆動装置、１２  かご操作盤、１３  乗場、１４  乗場操作盤、１５  ピット、１６  緩衝器、１７  移動ケーブル、１８  かご機器コントローラ、１００  旧かご機器コントローラ、１００Ａ  新かご機器コントローラ、１０１  制御部、１０２  通信変換部、２００  旧かご機器、２０１  旧ドア駆動装置、２０２  旧かご操作盤、２０３  旧着床検出装置、２００Ａ  新かご機器、２０１Ａ  新ドア駆動装置、２０２Ａ  新かご操作盤、２０３Ａ  新着床検出装置、３００  旧乗場機器、３００Ａ  新乗場機器、４００  旧制御盤、４００Ａ  新制御盤、４１０  通信変換装置、５００  旧巻上機、５００Ａ  新巻上機。
【図１】
2020230263.tif 000003
【図２】
2020230263.tif 000004
【図３】
2020230263.tif 000005
【図４】
2020230263.tif 000006
【図５】
2020230263.tif 000007
【図６】
2020230263.tif 000008
【図７】
2020230263.tif 000009
【図８】
2020230263.tif 000010
【図９】
2020230263.tif 000011
【図１０】
2020230263.tif 000012
【図１１】
2020230263.tif 000013
【図１２】
2020230263.tif 000014
【図１３】
2020230263.tif 000015
【図１４】
2020230263.tif 000016
【国際調査報告】
2020230263.tif 000017
2020230263.tif 000018
2020230263.tif 000019
2020230263.tif 000020